(57)【要約】【課題】  テレビジョン受像機用キャビネットのリアキャビネットを、配線基板の検討用治具として使用する。【解決手段】  リアキャビネット２に追加した基板保持部５１，５２によって配線基板Ｃを支えさせ、リアキャビネット２の開口部３を通じて作業者が検討作業を行うことができるようにする。リアキャビネット２のＲＣＡジャックの挿通孔部２６や凹入部を、配線基板Ｃの検討に使用する検査機器のプローブ７１，７２の仮置きスペースとしての利用を可能とする。リアキャビネット２の内面に目盛り６を追加して配線基板Ｃの板面上の位置を特定することができるようにする。【選択図】        図１
2007243393.tif 000002
【特許請求の範囲】
【請求項１】
フロントキャビネットと箱形のリアキャビネットとに分割され、リアキャビネットの前側の開口部に上記フロントキャビネットを合わせることにより形成されると共に、内部にブラウン管と配線基板とが収容されるテレビジョン受像機用キャビネットにおいて、
上記リアキャビネットにその内部で上記配線基板をその板面が上記開口部に臨む姿勢に保持可能な基板保持部を追加することにより、そのリアキャビネットを上記配線基板の検討用治具として使用可能としてあり、上記基板保持部が上記ブラウン管の周囲の空きスペース内に位置するように当該リアキャビネットに一体成形されていると共に、その基板保持部に着脱可能な工具置き台が追加されており、
上記リアキャビネットに備わっているＲＣＡジャックの挿通孔部、又は、上記リアキャビネットに後側へ突き出る形に形成された把手部の内側空間により形作られている凹入部が、上記配線基板の検討に使用する検査機器のプローブの仮置きスペースとして利用可能となるように上記基板保持部の設置位置が選択されており、
上記リアキャビネットの内面に、上記基板保持部に保持された上記配線基板の板面上の位置を特定することのできる目盛りが追加され、その目盛りが、上記リアキャビネットの下板部の内面に追加されたＸ軸方向の目盛り要素と、上記リアキャビネットの側板部の内面に追加されたＹ軸方向の目盛り要素とでなることを特徴とするテレビジョン受像機用キャビネット。
【請求項２】
フロントキャビネットと箱形のリアキャビネットとに分割され、リアキャビネットの前側の開口部に上記フロントキャビネットを合わせることにより形成されると共に、内部にブラウン管が収容されるテレビジョン受像機用キャビネットにおいて、
上記リアキャビネットにその内部で配線基板をその板面が上記開口部に臨む姿勢に保持可能な基板保持部を追加することにより、そのリアキャビネットを上記配線基板の検討用治具として使用可能としたことを特徴とするテレビジョン受像機用キャビネット。
【請求項３】
上記リアキャビネットに備わっているコネクタ挿通孔部又は凹入部が、上記配線基板の検討に使用する検査機器のプローブの仮置きスペースとして利用可能となるように上記基板保持部の設置位置を選択してある請求項２に記載したテレビジョン受像機用キャビネット。
【請求項４】
上記コネクタ挿通孔部がＲＣＡジャックの挿通孔部であり、上記凹入部が、当該リアキャビネットに後側へ突き出る形に形成された把手部の内側空間により形作られている請求項３に記載したテレビジョン受像機用キャビネット。
【請求項５】
上記リアキャビネットの内面に、上記基板保持部に保持された上記配線基板の板面上の位置を特定することのできる目盛りが追加されている請求項２ないし請求項４のいずれか１項に記載したテレビジョン受像機用キャビネット。
【請求項６】
上記目盛りが、上記リアキャビネットの下板部の内面に追加されたＸ軸方向の目盛り要素と、上記リアキャビネットの側板部の内面に追加されたＹ軸方向の目盛り要素とでなる請求項５に記載したテレビジョン受像機用キャビネット。
【発明の詳細な説明】
【技術分野】
【０００１】
本発明は、テレビジョン受像機用キャビネット、詳しくは、テレビジョン受像機用キャビネットなどに収容される配線基板の検査やメンテナンスなどを行う基板検討用治具として用いることができるようにする対策を講じたテレビジョン受像機用キャビネットに関する。
【背景技術】
【０００２】
図６に一般的なテレビジョン受像機用キャビネットを概略分解斜視図で示してある。このキャビネットは、フロントキャビネット１と箱形のリアキャビネット２とに分割されていて、リアキャビネット２の前側の開口部３にフロントキャビネット１を合わせることにより形成される。
【０００３】
また、図７にはキャビネットＡに収容されたブラウン管（ＣＲＴ）４を概略平面図で示してあり、同図で判るように、ブラウン管４を収容したキャビネットＡの内部には、ブラウン管４の周囲に比較的大きな空きスペースＳが形成されている。
【０００４】
一方、テレビジョン受像機などのモニタ装置のキャビネットをフロントキャビネットとリアキャビネットとに分けて構成することは公知である（たとえば、特許文献１参照）。また、キャビネットに配線基板を使用して取り付けることも公知である（たとえば、特許文献２参照）。さらに、リアキャビネットを嵩張らないように積重ねることができるような対策を講じて運搬を便利に行うようにする研究も行われている（たとえば、特許文献３参照）。
【０００５】
ところで、テレビジョン受像機に用いる配線基板については、その回路の電気特性や断線の有無、実装部品の性能検査といった各種の必要な検討を加える場合、キャビネットを分解してフロントキャビネットとリアキャビネットとを分離して配線基板を取り出し、テスターなどの各種の測定検査機器を用いてその配線基板を検討するということが行われる。そして、従来は、そのような配線基板の検討作業に際し、作業台（たとえば机）の上に配線基板を置いたり立てかけたりして検討作業を行う一方で、リアキャビネットをじゃまにならないように床上に置いておくといった措置が採られていた。
【特許文献１】特開平９−５５９０５号公報
【特許文献２】特開平１０−１１２５８８号公報
【特許文献３】特開平８−９８１１４号公報
【発明の開示】
【発明が解決しようとする課題】
【０００６】
しかしながら、キャビネットから取り出した配線基板を机などの作業台の上で安定性よく載置したり立てかけたりすることが意外に困難である。そこで、本願発明者は、配線基板の検討作業を行うときに、配線基板を安定性よく載置したり立てかけたりすることのできる治具があれば、配線基板の検討作業を楽にしかも効率よく行うことができるであろうと考えた。また、その一方で、床上に置いてその作業のじゃまにならないようにしていたリアキャビネットをそのような治具として用いることができれば、配線基板の検討作業を楽にしかも効率よく行うことができることに加えて、リアキャビネットを床上に置いておく必要がなくなって床上が乱雑になることを避けられるであろうと考えた。
【０００７】
本発明は以上の状況の下でなされたものであり、フロントキャビネットと箱形のリアキャビネットとに分割されているテレビジョン受像機用キャビネットに関し、リアキャビネットに一定の対策を講じておくことによって、そのリアキャビネットを配線基板の検討用治具として使用できるようにすることを目的とする。
【課題を解決するための手段】
【０００８】
本発明に係るテレビジョン受像機用キャビネットは、フロントキャビネットと箱形のリアキャビネットとに分割され、リアキャビネットの前側の開口部に上記フロントキャビネットを合わせることにより形成されると共に、内部にブラウン管が収容されるテレビジョン受像機用キャビネットにおいて、上記リアキャビネットにその内部で配線基板をその板面が上記開口部に臨む姿勢に保持可能な基板保持部を追加することにより、そのリアキャビネットを上記配線基板の検討用治具として使用可能としたものである。
【０００９】
この構成によれば、リアキャビネットに追加された基板保持部によって配線基板を保持させると、リアキャビネットの内部で配線基板が安定して保持され、しかも、その配線基板の板面がアリキャビネットの前側の開口部に臨むので、作業者はリアキャビネットの開口部を通して配線基板を観察したり配線基板に対する必要な検討作業を行うことが可能になる。しかも、リアキャビネットはそれ自体が検討用治具として使用されるので、そのリアキャビネットを床上に置いておく必要がなくなり、床上に置いたリアキャビネットによっで床上が乱雑になるという事態が起こらない。
【００１０】
本発明では、上記リアキャビネットに備わっているコネクタ挿通孔部又は凹入部が、上記配線基板の検討に使用する検査機器のプローブの仮置きスペースとして利用可能となるように上記基板保持部の設置位置を選択してある、という構成を採用することが望ましい。これによれば、リアキャビネットの内部で基板保持部に保持された配線基板の検討作業を行うときに、もともとリアキャビネットに備わっているコネクタ挿通孔部又は凹入部を、検査機器のプローブの仮置きスペースとして活用することができるために、そのプローブを取り扱いやすくなるという利点がある。
【００１１】
本発明では、上記コネクタ挿通孔部がＲＣＡジャックの挿通孔部であり、上記凹入部が、当該リアキャビネットの上板部と当該リアキャビネットに内側に突き出る形に形成された把手部とにより形作られているものであってもよい。
【００１２】
本発明では、上記リアキャビネットの内面に、上記基板保持部に保持された上記配線基板の板面上の位置を特定することのできる目盛りが追加されている、という構成を採用することが可能である。これによれば、作業者は、目盛りを目安にして基板保持部に保持された配線基板に取り付けられている実装部品の位置や回路の位置を容易に探し出すことができるようになるので、配線基板を効率よく検討することができるようになる。
【００１３】
本発明では、上記目盛りが、上記リアキャビネットの下板部の内面に追加されたＸ軸方向の目盛り要素と、上記リアキャビネットの側板部の内面に追加されたＹ軸方向の目盛り要素とでなる、という構成を採用することが可能であり、そうすることによって配線基板の板面上の位置がＸ軸とＹ軸とを有する二次元座標に割り当てられるために、上記した実装部品の位置や回路の位置をいっそう容易に探し出すことができるようになる。
【００１４】
本発明に係るテレビジョン受像機用キャビネットは、フロントキャビネットと箱形のリアキャビネットとに分割され、リアキャビネットの前側の開口部に上記フロントキャビネットを合わせることにより形成されると共に、内部にブラウン管と配線基板とが収容されるテレビジョン受像機用キャビネットにおいて、上記リアキャビネットにその内部で上記配線基板をその板面が上記開口部に臨む姿勢に保持可能な基板保持部を追加することにより、そのリアキャビネットを上記配線基板の検討用治具として使用可能としてあり、上記基板保持部が上記ブラウン管の周囲の空きスペース内に位置するように当該リアキャビネットに一体成形されていると共に、その基板保持部に着脱可能な工具置き台が追加されており、上記リアキャビネットに備わっているＲＣＡジャックの挿通孔部、又は、上記リアキャビネットの上板部と上記リアキャビネットに内側に突き出る形に形成された把手部とにより形作られている凹入部が、上記配線基板の検討に使用する検査機器のプローブの仮置きスペースとして利用可能となるように上記基板保持部の設置位置が選択されており、上記リアキャビネットの内面に、上記基板保持部に保持された上記配線基板の板面上の位置を特定することのできる目盛りが追加され、その目盛りが、上記リアキャビネットの下板部の内面に追加されたＸ軸方向の目盛り要素と、上記リアキャビネットの側板部の内面に追加されたＹ軸方向の目盛り要素とでなる、という構成を採用することによっていっそう具体化される。この発明の作用などについは、後述する実施形態を参照して説明する。
【発明の効果】
【００１５】
以上のように、本発明は、テレビジョン受像機用キャビネットのリアキャビネットを、配線基板の検討用治具として使用することができるようにしたものであるので、配線基板を安定した姿勢に保持した状態でその検討を行うことが可能になるだけでなく、従来では検討作業のじゃまにならないように床上に置いていたリアキャビネットが検討作業に有効活用されて床が乱雑にならないという効果が奏される。また、リアキャビネットにもともと備わっているＲＣＡジャックの挿通孔部や凹入部を、テスターなどの検査機器のプローブの仮置きスペースとして用いることが可能であるために、そのプローブの取扱いが容易になって検討作業を的確に行いやすくなるという利点があるほか、リアキャビネットに目盛りを追加しておくことにより、その目盛りを目安にして配線基板の板面上の位置を特定しやすくなってその検討作業の効率性を高められるという利点もある。
【００１６】
したがって、本発明に係るテレビジョン受像機用キャビネットのリアキャビネットは、技術開発段階での配線基板の検討用治具として用い得ることは勿論、テレビジョン受像機の補修やメンテナンスを行う際の配線基板の検討用治具としても用い得る。
【発明を実施するための最良の形態】
【００１７】
図１は本発明の実施形態に係るテレビジョン受像機用キャビネットのリアキャビネットについての検討用治具としての使用状態を示した概略断面図、図２は同リアキャビネットの説明図、図３は変形例によるリアキャビネットについての検討用治具としての使用状態を示した要部の概略側面図である。
【００１８】
この実施形態のテレビジョン受像機用キャビネットは、図６を参照して説明したキャビネットの場合と同様に、フロントキャビネット１と箱形のリアキャビネット２とに分割されていて、リアキャビネット２の前側の開口部３にフロントキャビネット１を合わせることにより形成されるようになっている。また、そのキャビネットの内部には、図７に示したものと同様のブラウン管４と共に、電源回路や制御回路などを備える配線基板が収容されている。
【００１９】
一方、図１に例示したリアキャビネット２は、上板部２１と下板部２２と左右それぞれの側板部２３と背板部２４とを有している。また、上板部２１の近傍箇所には後側に突き出る形に形成された把手部２５が備わり、その把手部２５の内側には横長の空間（内側空間）２６が形成されている。この把手部２５は、テレビジョン受像機を手で持ち上げるときに、その持上げ作業を行う者が手を引っかけるために利用される。また、このリアキャビネット２の背板部２４の下部に、ＲＣＡジャックの挿通孔部２６が開設されていて、キャビネットに収容される配線基板に搭載されたＲＣＡジャックがその挿通孔部２６に挿通されてリアキャビネット２の背部に露出する。
【００２０】
この実施形態では、上記リアキャビネット２の背板部２４の上下複数箇所にボス又はリブでなる基板保持部５１，５２を一体成形することによって追加してある。そして、図１のようにリアキャビネット２をその開口部３が上向きになるように作業台Ｂの上に置いたときには、そのリアキャビネット２に収容し得る大きさの配線基板Ｃを上記した上下複数箇所の基板保持部５１，５２に載架させることによって、その配線基板Ｃの板面が上記開口部３に臨む姿勢としてその配線基板Ｃを基板保持部５１，５２上で支えさせることができるようになっている。したがって、このように基板保持部５１，５２で配線基板Ｃを支えさせておくと、作業者がリアキャビネット２の開口部３から配線基板Ｃの板面を観察して異常の有無を目視で検査したり、あるいは、テスターやその他の各種検査機器を用いて配線基板Ｃに搭載されている実装部品（不図示）の性能や異常の有無、配線基板Ｃに形成されている回路の異常の有無や断線の有無などを上記開口部３から手を入れて検査することが可能になって、リアキャビネット２が配線基板Ｃの検討用治具として役立つ。また、リアキャビネット２をそのような検討用治具として活用することにより、そのリアキャビネット２が配線基板Ｃの検討時に活用されることになるために、そのリアキャビネット２をじゃまにならないように床上に置いておくといった必要がなくなって配線基板Ｃの検討中に床が乱雑にならずに済む。なお、基板保持部５１，５２によって配線基板Ｃを支えさせる場合、配線基板Ｃを基板保持部５１，５２に載架させるだけであってもよいが、必要があればビス止めなどによって配線基板Ｃを動かないように固定しておいてもよい。
【００２１】
また、この実施形態では、リアキャビネット２の内面に目盛り６を付与してあり、この目盛り６を目安にして基板保持部５１，５２によって支えられている配線基板Ｃの板面上の位置を特定することができるようにしてある。そのため、配線基板Ｃに搭載されている多くの実装部品の中から検査対象としての実装部品を目盛り６を目安にして指摘したり特定したりすることが可能になるという利便がある。目盛り６はそのような利便性を発揮し得る場所であれば、リアキャビネット２の内面のどこに付与しておいてもよいが、たとえば、リアキャビネット２の左側の側板部２３と下板部２２のそれぞれの内面に付与しておいてもよい。そして、リアキャビネット２の左側の側板部２３と下板部２２のそれぞれの内面に付与しておく場合には、図２に示したようにその目盛り６を下板部２２の内面に追加されたＸ軸方向の目盛り要素６Ｘと、左側の側板部２３の内面に追加されたＹ軸方向の目盛り要素とによって形成しておくと、上記したような検査目的の実装部品や配線基板Ｃの板面上の位置を、Ｘ軸とＹ軸とを有する二次元座標に割り当てて容易に探し出すことができるようになるという利便がある。
【００２２】
さらに、この実施形態では、配線基板Ｃを支える基板保持部５１，５２の設置位置に工夫を講じることによって、リアキャビネット２の背板部２４に開設されているＲＣＡジャックの挿通孔部２６が、基板保持部５１，５１に支えさせた配線基板Ｃによって覆われないようにしてある。こうしておくと、図１に示したように、その挿通孔部２６にテスターやその他の検査機器のプローブ７１を差し込んで仮置きすることができるようになる。すなわち、ＲＣＡジャックの挿通孔部２６をプローブ７１の仮置きスペースとして利用することができるようになり、その結果、プローブ７１を用いて配線基板Ｃを検討するときにそのプローブ７１を取り扱いやすくなるという利点が生じる。このようにプローブ７１の取扱い性を改善するためには、プローブ７１の仮置きスペースとしてＲＣＡジャックの挿通孔部２６を利用するだけでなく、リアキャビネット２に備わっている把手部２５の内側空間２７を利用することも可能である。図１には別のプローブ７２を把手部２５の内側空間２７に仮置きした状態を例示してある。
【００２３】
この実施形態において、リアキャビネット２に追加した基板保持部５１，５２は、図７に示したブラウン管４の周囲の空きスペースＳに位置している。そのため、基板保持部５１，５２がリアキャビネット２に追加されているとしても、そのリアキャビネット２を図６に示したフロントキャビネット１と合わせてキャビネットＡを構成しても、基板保持部５１，５２がブラウン管４と干渉したりするおそれはない。
【００２４】
図１の事例では、基板保持部５１，５２に配線基板Ｃが載架されている事例を説明したけれども、この点は、たとえば、図３に示した基板保持部５３，５４のように配線基板Ｃをその板面の両側で挟んで保持し得る機能を有するものであってもよい。
【００２５】
図４は他の変形例によるリアキャビネット２の概略斜視図、図５は図４のリアキャビネット２についての検討用治具としての使用状態を示した概略断面図である。
【００２６】
図４のリアキャビネット２は、その下板部２２の左右２箇所に基板保持部５５，５５を一体成形によって追加してある。この基板保持部５５，５５は、図５に示されているように、配線基板Ｃの端縁を嵌め込むことのできる溝部５６を備えている。そして、図４のように、左右の基板保持部５５，５５のそれぞれの溝部５６，５６に、横長の工具置き台８を嵌め込んで保持させることのできる機能を付与してある。
【００２７】
リアキャビネット２をこのように構成しておくと、工具置き台８を左右の基板保持部５５，５５から取り外してリアキャビネット２を図５のように起立姿勢で作業台Ｂの上に載置すると共に、その基板保持部５５，５５に、リアキャビネット２に収容させた配線基板Ｃの端縁を嵌め込んで立て掛けておくと、作業者がリアキャビネット２の開口部３から配線基板Ｃの板面を観察して異常の有無を目視で検査したり、あるいは、テスターやその他の各種検査機器を用いて配線基板Ｃに搭載されている実装部品（不図示）の性能や異常の有無、配線基板Ｃに形成されている回路の異常の有無や断線の有無などを上記開口部３から手を入れて検査することが可能になって、リアキャビネット２が配線基板Ｃの検討用治具として役立つ。また、リアキャビネット２をそのような検討用治具として活用することにより、そのリアキャビネット２が配線基板Ｃの検討時に活用されることになるために、そのリアキャビネット２をじゃまにならないように床上に置いておくといった必要がなくなって配線基板Ｃの検討中に床が乱雑にならずに済む。なお、基板保持部５５，５５によって配線基板Ｃを立て掛ける場合、リアキャビネット２の内面の他の箇所に一体に成形したボス５７によって配線基板Ｃの上部を支えさせてその倒れ込みを防いでおいてもよい。
【００２８】
また、図５の使用状態では、リアキャビネット２の把手部１５の内側空間２７をプローブ７２の仮置きスペースとして利用するために、その把手部１５の内側にリブ２８を追加し、このリブ２８によって、上記内側空間２７に差し込んだプローブ７２が落下しないようにそのプローブ７２を支えることができるようにしてある。また、リアキャビネット２の内面上部に、検査機器用のホルダー２９を追加してある。そして、このホルダー２９にテスターなどの検査機器Ｍを保持させておけば、その検査機器Ｍのモニター（不図示）を作業者が検討作業をしながら見ることができるようになる。このようにすると、配線基板Ｃの検討作業において、検査機器Ｍのモニターに表示される数値などを見ながら配線基板Ｃの不良箇所などを検査することが可能になるという利便がある。また、基板保持部５５，５５から取り外した工具置き台８を、プローブやその他の検査治具の置き台として利用することができるという利便がある。
【００２９】
以上において、図１のリアキャビネット２に、図４及び図５に示した基板保持部５５や工具置き台８を追加したりすることは自由である。また、図４及び図５のリアキャビネット２に目盛り６を付加して配線基板Ｃの板面上の位置を特定することができるようにすることも可能である。
【００３０】
なお、リアキャビネット２を検討用治具として使用する場合の検討対象としての配線基板Ｃは、当該リアキャビネット２にフロントキャビネット１を合わせることによって構成されるキャビネットＡに収容される配線基板であっても、他のテレビジョン受像機用又は他の電気電子機器の配線基板であってもよい。
【図面の簡単な説明】
【００３１】
【図１】本発明の実施形態に係るキャビネットのリアキャビネットについての検討用治具としての使用状態を示した概略断面図である。
【図２】同リアキャビネットの説明図である。
【図３】変形例によるリアキャビネットについての検討用治具としての使用状態を示した要部の概略側面図である。
【図４】他の変形例によるリアキャビネットの概略斜視図である。
【図５】図４のリアキャビネットについての検討用治具としての使用状態を示した概略断面図である。
【図６】一般的なテレビジョン受像機用キャビネットの概略分解斜視図である。
【図７】キャビネットに収容されたブラウン管の概略平面図である。
【符号の説明】
【００３２】
Ａ  テレビジョン受像機用キャビネット
Ｃ  配線基板
Ｓ  ブラウン管の周囲の空きスペース
１  フロントキャビネット
２  リアキャビネット
３  開口部
４  ブラウン管
６  目盛り
６Ｘ  Ｘ軸方向の目盛り要素
６Ｙ  Ｙ軸方向の目盛り要素
８  工具置き台
２５  把手部
２６  ＲＣＡジャックの挿通孔部
２７  把手部の内側空間
５１〜５５  基板保持部
７１，７２  プローブ
【図１】
2007243393.tif 000003
【図２】
2007243393.tif 000004
【図３】
2007243393.tif 000005
【図４】
2007243393.tif 000006
【図５】
2007243393.tif 000007
【図６】
2007243393.tif 000008
【図７】
2007243393.tif 000009